(57)【要約】【課題】  埃等の除去を効率的に行うことができる掃除補助具及びその掃除補助具を接続した掃除機を提供する。【解決手段】  主吸引装置のホースの先端部に接続する掃除補助具であって、空洞をなし、空洞の一方の端部側に主吸引装置のホースの先端部に接続するための接続孔及び他方の端部側に複数の小孔を有した連結胴１３と、複数の小孔のそれぞれに一端が接続された筒状の第１指先ノズル１５ａ〜第５指先ノズル１５ｅと、筒状の他端に接続されたブラシ毛を有するブラシ部４１と、第１指先ノズル１５ａ〜第５指先ノズル１５ｅに直接的に又は間接的に接続された第１指先固定リング２１ａ〜第５指先固定リング２１ｅを備える。【選択図】      図１
2020163046.tif 000002
【特許請求の範囲】
【請求項１】
空洞をなし、該空洞の一方の端部側に主吸引装置のホースの先端部に接続するための接続孔及び他方の端部側に複数の小孔を有した連結胴と、
前記小孔のそれぞれに一端が接続された筒状の指先ノズルと、
前記指先ノズルのそれぞれの他端に接続されたブラシ毛を有するブラシ部と、
前記指先ノズルのそれぞれに直接的に又は間接的に接続された指先固定リング
を備えることを特徴とする掃除補助具。
【請求項２】
前記指先ノズルが、前記筒状の外周面に設けられたリング状の溝部と、該溝部に嵌め込まれ、前記溝部に沿って回転自在であるリング回転部を有し、
前記指先固定リングが、前記リング回転部に直接固定されていることを特徴とする請求項１に記載の掃除補助具。
【請求項３】
前記ブラシ毛の根元側に設けられ、かつ、前記外周面と前記筒状の内周面との間の中空部に収納された第１ストッパーと、
該第１ストッパーよりも前記ブラシ毛の先端側に設けられ、かつ、前記中空部の外側に配置された第２ストッパーと、
を更に有し、
前記ブラシ毛は、前記第１ストッパーと前記第２ストッパーの間で、前記中空部と連続して前記他端に設けられた細孔を貫通し、
前記先端側が前記根元側よりも鉛直上方の時は、前記ブラシ毛は、前記先端側から前記第２ストッパーまでが露出し、
前記先端側が前記根元側よりも鉛直下方の時は、前記ブラシ毛は、前記先端側から前記第２ストッパーまでに加えて、前記第２ストッパーと前記第１ストッパーとの間の部分が更に露出し、前記先端側が押圧されると、最大で前記第２ストッパーが前記他端に接するまで、露出していた部分が前記中空部に収納されることを特徴とする、請求項１又は２に記載の掃除補助具。
【請求項４】
前記指先ノズルが、前記小孔に接続されたノズル本体及び該ノズル本体に接続され前記ブラシ部を接続する蛇腹構造の先端可動部から成り、
前記ブラシ毛の先端側に押圧が加えられると、該押圧が加えられた部分の前記先端可動部が前記ノズル本体側に収縮し、前記押圧から解放されると、前記先端可動部が押圧前の形状に復元することを特徴とする、請求項１又は２に記載の掃除補助具。
【請求項５】
主吸引装置をなす掃除機本体と、
該掃除機本体に接続されたホースと、
空洞をなし該空洞の一方の端部側に前記ホースの先端部に接続するための接続孔及び他方の端部側に複数の小孔を有した連結胴、前記小孔のそれぞれに一端が接続された筒状の指先ノズル、前記指先ノズルのそれぞれの他端に接続されたブラシ毛を有するブラシ部、前記指先ノズルのそれぞれに直接的に又は間接的に接続された指先固定リングを有する掃除補助具、
を備えることを特徴とする掃除機。
【請求項６】
前記指先ノズルが、前記筒状の外周面に設けられたリング状の溝部と、該溝部に嵌め込まれ、前記溝部に沿って回転自在であるリング回転部を有し、
前記指先固定リングが、前記リング回転部に直接固定されていることを特徴とする請求項５に記載の掃除機。
【請求項７】
前記掃除機本体の外周面に固定された上腕固定部を更に有し、
前記掃除機を使用する際には、前記掃除補助具を装着する手と同じ側の上腕に前記上腕固定部を取りつけることを特徴とする請求項５又は６に記載の掃除機。
【請求項８】
前記ブラシ毛の根元側に設けられ、かつ、前記外周面と前記筒状の内周面との間の中空部に収納された第１ストッパーと、
該第１ストッパーよりも前記ブラシ毛の先端側に設けられ、かつ、前記中空部の外側に配置された第２ストッパーと、
を更に有し、
前記ブラシ毛は、前記第１ストッパーと前記第２ストッパーの間で、前記中空部と連続して前記他端に設けられた細孔を貫通し、
前記先端側が前記根元側よりも鉛直上方の時は、前記ブラシ毛は、前記先端側から前記第２ストッパーまでが露出し、
前記先端側が前記根元側よりも鉛直下方の時は、前記ブラシ毛は、前記先端側から前記第２ストッパーまでに加えて、前記第２ストッパーと前記第１ストッパーとの間の部分が更に露出し、前記先端側が押圧されると、最大で前記第２ストッパーが前記他端に接するまで、露出していた部分が前記中空部に収納されることを特徴とする、請求項５乃至７に記載の掃除機。
【請求項９】
前記指先ノズルが、前記小孔に接続されたノズル本体及び該ノズル本体に接続され前記ブラシ部を接続する蛇腹構造の先端可動部から成り、
前記ブラシ毛の先端側に押圧が加えられると、該押圧が加えられた部分の前記先端可動部が前記ノズル本体側に収縮し、前記押圧から解放されると、前記先端可動部が押圧前の形状に復元することを特徴とする、請求項５乃至７に記載の掃除機。
【発明の詳細な説明】
【技術分野】
【０００１】
本発明は、掃除補助具及びその掃除補助具を装着した掃除機に関する。
【背景技術】
【０００２】
掃除機やビルの真空排気口等の主吸引装置のホースの先端には、用途に応じて様々な形状のアタッチメントが接続されて使用される。例えば、通常の横広の吸引ノズルが入らないような狭いところへは、先端にブラシがついた筒状のノズルを装着して主吸引装置を使用する。特許文献１には、手袋に複数の細いノズルが固定され、手袋を手にはめた時に、指に沿うように手の平側にノズルが位置する掃除機用ノズルの発明が記載されている。
【０００３】
しかし特許文献１に記載の技術では、手の平側の指先にブラシやノズルが位置しているので、手袋を装着した手で物をつまんだり掴んだりすることは困難である。埃等を除去する掃除は、物を手で掴んで移動させながら行うこともあるため、その度に手袋を脱着するのは大変煩わしい。又、手のサイズは個人差が大きいため、手袋のサイズが合わない場合は別のアタッチメントを用意しなければならないという問題があった。更に、手袋にブラシやノズルが固定されているので、手袋を装着する手は右手あるいは左手に限定されてしまう問題もあった。
【先行技術文献】
【特許文献】
【０００４】
【特許文献１】特開平７−３１３４１０号
【発明の概要】
【発明が解決しようとする課題】
【０００５】
本発明は上記の問題に着目してなされたものであって、整理整頓の対象物を手で掴んで移動させながら埃等の除去や掃除を効率的に行うことができる掃除補助具及びその掃除補助具を装着した掃除機を提供することを目的とする。
【課題を解決するための手段】
【０００６】
上記目的を達成するために、本発明の第１の態様は、主吸引装置のホースの先端部に接続するアタッチメントであって、（ａ）空洞をなし、その空洞の一方の端部側に主吸引装置のホースの先端部に接続するための接続孔及び他方の端部側に複数の小孔を有した連結胴と、（ｂ）小孔のそれぞれに一端が接続された筒状の指先ノズルと、（ｃ）指先ノズルのそれぞれの他端に接続されたブラシ毛を有するブラシ部と、（ｄ）指先ノズルのそれぞれに直接的に又は間接的に接続された指先固定リングを備えることを特徴とする掃除補助具であることを要旨とする。
【０００７】
上記目的を達成するために、本発明の第２の態様は、（ａ）主吸引装置をなす掃除機本体と、（ｂ）掃除機本体に接続されたホースと、（ｃ）空洞をなし、その空洞の一方の端部側にホースの先端部に接続するための接続孔及び他方の端部側に複数の小孔を有した連結胴、小孔のそれぞれに一端が接続された筒状の指先ノズル、指先ノズルのそれぞれの他端に接続されたブラシ毛を有するブラシ部、指先ノズルのそれぞれに直接的に又は間接的に接続された指先固定リングを有する掃除補助具とを備えることを特徴とする掃除機であることを要旨とする。
【０００８】
本発明によれば、整理整頓の対象物を手で掴んで移動させながら埃等の除去や掃除を効率的に行うことができる掃除補助具及びその掃除補助具を装着した掃除機を提供することができる。
【図面の簡単な説明】
【０００９】
【図１】本発明の第１実施形態に係る掃除補助具の斜視図である。
【図２】図２（ａ）は本発明の第１実施形態に係る掃除補助具の正面図であり、図２（ｂ）は本発明の第１実施形態に係る掃除補助具の背面図である。
【図３】図３（ａ）は本発明の第１実施形態に係る掃除補助具の右側面図であり、図３（ｂ）は本発明の第１実施形態に係る掃除補助具の左側面図であり、図３（ｃ）は本発明の第１実施形態に係る掃除補助具の底面図である。
【図４】図４（ａ）及び（ｂ）はそれぞれ、本発明の第１実施形態に係る掃除補助具を接続した掃除機全体を示す図である。
【図５】図５（ａ）は本発明の第１実施形態に係る掃除補助具を接続した掃除機を腕に取り付けた様子を示す図であり、図５（ｂ）は図５（ａ）のＡ部分の拡大正面図である。
【図６】図５（ｂ）の背面図である。
【図７】図７（ａ）は本発明の第１実施形態に係る掃除補助具を手に装着した場合の、人差し指部分の拡大左側面図であり、図７（ｂ）は図７（ａ）の状態から人差し指を曲げた状態を示す図である。
【図８】図８（ａ）は本発明の第１実施形態に係る掃除補助具の指先ノズルの先端側の拡大斜視図であり、図８（ｂ）は図８（ａ）の状態からＡ又はＢ方向にリング回転部を１８０度回転させた状態を示す図である。
【図９】図９（ａ）は本発明の第１実施形態に係る掃除補助具の第１変形例の斜視図であり、図９（ｂ）は本発明の第１実施形態に係る掃除補助具の第２変形例の斜視図である。
【図１０】本発明の第１実施形態に係る掃除補助具の第３変形例の斜視図である。
【図１１】図１１（ａ）は本発明の第１実施形態に係る掃除補助具の第４変形例の斜視図であり、図１１（ｂ）は本発明の第１実施形態に係る掃除補助具の第５変形例の斜視図である。
【図１２】図１２（ａ）及び図１２（ｂ）はそれぞれ、本発明の第１実施形態に係る掃除補助具の指先ノズルの装着例である。
【図１３】図１３（ａ）は本発明の第２実施形態に係る掃除補助具を手に装着した場合の、人差し指部分の拡大左側面図であり、図１３（ｂ）は図１３（ａ）の状態から人差し指を曲げた状態を示す図である。
【図１４】図１４（ａ）は本発明の第２実施形態に係る掃除補助具を手に装着し、指先ノズルのブラシが床面に対して斜め方向に接した場合の、人差し指部分の拡大左側面図であり、図１４（ｂ）は図１４（ａ）の状態から人差し指の指先を床面に対して垂直にした状態を示す図である。
【図１５】図１５（ａ）は本発明の第２実施形態に係る掃除補助具の指先ノズルの先端側の拡大斜視図であり、図１５（ｂ）は図１５（ａ）のＡ部分の拡大図である。
【図１６】図１６（ａ）は図１５（ｂ）のＢ−Ｂ方向から見た部分の断面図であり、図１６（ｂ）は図１６（ａ）の上向き矢印の方向にブラシを引き上げた場合の、図１６（ａ）に相当する断面図である。
【図１７】図１７（ａ）は本発明の第３実施形態に係る掃除補助具を手に装着した場合の、人差し指部分の拡大左側面図であり、図１７（ｂ）は図１７（ａ）の状態から人差し指を曲げた状態を示す図である。
【図１８】図１８（ａ）は本発明の第３実施形態に係る掃除補助具を手に装着して指先ノズルを床面に近づけた場合の、人差し指部分の拡大左側面図であり、図１８（ｂ）は図１８（ａ）の状態から指先ノズルを床面に更に近づけた状態を示す図である。
【発明を実施するための形態】
【００１０】
以下において、図面を参照して、本発明の実施形態を説明する。以下の図面の記載において、同一又は類似の部分には同一又は類似の符号を付している。ただし、図面は模式的なものであることに留意すべきである。したがって、具体的な大きさ、構成、素材等は以下の説明から理解できる技術的思想の趣旨を参酌してより多様に判断すべきものである。
【００１１】
又、以下に示す本発明の実施形態は、本発明の技術的思想を具体化するための装置及び物質を例示するものであって、本発明の技術的思想は、装置及び物質の材質、形状、構造、配置等を下記のものに特定するものではない。本発明の技術的思想は、本発明の実施形態で記載された内容に限定されず、特許請求の範囲に記載された発明特定事項の有機的結合が規定する技術的範囲内において、種々の変更を加えることができる。
【００１２】
（第１実施形態）
本発明の第１実施形態に係る掃除補助具１１は、掃除機本体やビルの真空排気口等の主吸引装置のホースの先端部に接続する掃除機や掃除用設備のアタッチメント（掃除補助具）である。この掃除補助具は、図１に示すように、掃除機や掃除用設備のホースの先端部に接続される空洞をなす連結胴１３を有する。連結胴１３は、ホースの先端部に接続するための接続孔と、接続孔とは反対側の端部に図３（ｃ）に示すように設けられた第２小孔３１ｂ、第３小孔３１ｃ、第４小孔３１ｄ、第５小孔３１ｅの複数の小孔を有する。
【００１３】
連結胴１３の形状は、図１及び図３に示すように、第２小孔３１ｂ、第３小孔３１ｃ、第４小孔３１ｄ、第５小孔３１ｅの位置付近から中央部付近にかけては扁平であり、中央部付近から接続孔の位置付近にかけてはやや盛り上がりのある構造である。接続孔は図１の斜視図においては奥側、図３（ｃ）の底面図においては最も手前側に位置する。接続孔の大きさや形状は、掃除機のホースの先端部の大きさや形状に合わせて任意に設定することができる。
【００１４】
連結胴１３の内部は、図１及び図３に示すように接続孔から連続する空洞を有し、接続孔と反対側に第２小孔３１ｂ、第３小孔３１ｃ、第４小孔３１ｄ、第５小孔３１ｅが整列している。第２小孔３１ｂ、第３小孔３１ｃ、第４小孔３１ｄ、第５小孔３１ｅはそれぞれ、筒状である第２指先ノズル１５ｂ、第３指先ノズル１５ｃ、第４指先ノズル１５ｄ、第５指先ノズル１５ｅの一端を接続するための穴である。即ち、第２小孔３１ｂ、第３小孔３１ｃ、第４小孔３１ｄ、第５小孔３１ｅのそれぞれには、図1に示すように、第２指先ノズル１５ｂ、第３指先ノズル１５ｃ、第４指先ノズル１５ｄ、第５指先ノズル１５ｅの一端が接続されている。第１実施形態に係る掃除補助具１１は第１指先ノズル１５ａを更に有し、図面では図示を省略しているが、第１指先ノズル１５ａに対応する第１小孔も連結胴１３に開けられている。
【００１５】
第２小孔３１ｂ〜第５小孔３１ｅの大きさはそれぞれ第２指先ノズル１５ｂ〜第５指先ノズル１５ｅが嵌められる程度であればよい。第１指先ノズル１５ａに対応する第１小孔も同様である。そして、第１指先ノズル１５ａ〜第５指先ノズル１５ｅの筒状の他端には、多数のブラシ毛を有するブラシ部４１が設けられ、更に、第１指先ノズル１５ａ〜第５指先ノズル１５ｅに直接的に又は間接的に接続される第１指先固定リング２１ａ〜第５指先固定リング２１ｅが設けられている。
【００１６】
第１指先ノズル１５ａ〜第５指先ノズル１５ｅの筒状の外周面には、それぞれリング状の溝部が設けられ、第１リング回転部２３ａ〜第５リング回転部２３ｅがその溝部にそれぞれ嵌め込まれることによって、第１リング回転部２３ａ〜第５リング回転部２３ｅが溝部に沿って回転自在である。第１指先固定リング２１ａ〜第５指先固定リング２１ｅは、第１リング回転部２３ａ〜第５リング回転部２３ｅにそれぞれ直接固定されている。
【００１７】
第１実施形態に係る掃除補助具１１は、例えば、図４及び図５（ａ）に示すように、主吸引装置（掃除機本体）５１ａ，５１ｂ，５１ｃから伸びるホース５３ａ，５３ｂ，５３ｃの先端部に接続されるが、その際、図１〜図３に示した連結胴１３の接続孔が、主吸引装置（掃除機本体）５１ａ，５１ｂ，５１ｃから伸びるホース５３ａ，５３ｂ，５３ｃの先端部に接続される。そして、図５（ｂ）及び図６に示すように、連結胴１３に接続された固定ベルト２５ａ及び２５ｂによって、掃除をする人間の右手８１の甲に掃除補助具１１が装着される。図５は右手８１の手の甲側からの図示であるため、掃除補助具１１の陰となる部分に人間の右手８１の甲や指先の一部がわずかに見えているが、図６は右手８１の手の平側からの図示であるため、右手８１の手の平がよく示されている。
【００１８】
第１実施形態に係る掃除補助具１１は図５のように右手８１に装着されて使用されるのであり、第１指先ノズル１５ａは親指、第２指先ノズル１５ｂは人差し指、第３指先ノズル１５ｃは中指、第４指先ノズル１５ｄは薬指、第５指先ノズル１５ｅは小指にそれぞれ装着される。第１指先ノズル１５ａ〜第５指先ノズル１５ｅは、各指の長さの比率とバランスをとるためにそれぞれ長さが異なるように形成されてもよい。第１指先ノズル１５ａ〜第５指先ノズル１５ｅが、それぞれの筒状の長手方向に伸縮自在な素材で形成されている場合、例えば全体的に蛇腹構造である等の場合は、それぞれが同程度の長さであってもよい。第１指先ノズル１５ａ〜第５指先ノズル１５ｅの素材は、プラスチック素材であってもよいし、シリコンゴム等のゴム素材であってもよい。図６に示すように、第１指先固定リング２１ａ〜第５指先固定リング２１ｅが右手８１の手指のそれぞれに嵌められて、掃除をする人間が掃除補助具１１を使用開始できる状態となる。
【００１９】
連結胴１３と第１指先ノズル１５ａ〜第５指先ノズル１５ｅとは一体成型で同一部材から成るものでもよいし、別々の部材で構成されていてもよい。別々の部材の場合は、それぞれの第１指先ノズル１５ａ〜第５指先ノズル１５ｅは連結胴１３から人力で外すことができない程度に接着剤等で固定していてもよいし、人力で容易に外すことが出来るように単に嵌め合わせる構成であってもよい。
【００２０】
第１指先ノズル１５ａ〜第５指先ノズル１５ｅの筒状の外周面に設けられたリング状の溝部は、第１指先ノズル１５ａ〜第５指先ノズル１５ｅにおいて、連結胴１３との接続部位から離れた先端側に位置する。第１指先ノズル１５ａ〜第５指先ノズル１５ｅのリング状の溝部においては、それぞれ第１リング回転部２３ａ〜第５リング回転部２３ｅが嵌められて回転できればよいのであり、リング状の溝部の形状は丸みを帯びていてもよいし、角張っていてもよい。
【００２１】
第１指先ノズル１５ａ〜第５指先ノズル１５ｅのリング状の溝部にそれぞれ第１リング回転部２３ａ〜第５リング回転部２３ｅが嵌められた際には、図５及び図７に示すように、第１リング回転部２３ａ〜第５リング回転部２３ｅは掃除補助具１１の使用の際に指に近い部分となる。よって、第１指先ノズル１５ａ〜第５指先ノズル１５ｅの外周面に対して、第１リング回転部２３ａ〜第５リング回転部２３ｅがそれぞれ凸部又は凹部とならないようにする。使用の際の快適性の面からは、第１指先ノズル１５ａ〜第５指先ノズル１５ｅの外周面と第１リング回転部２３ａ〜第５リング回転部２３ｅの外周面とが、それぞれ一続きの面を成す状態が好ましい。
【００２２】
図１等に示す第１リング回転部２３ａ〜第５リング回転部２３ｅは、第１指先ノズル１５ａ〜第５指先ノズル１５ｅのリング状の溝部にそれぞれ嵌め込まれ、その溝部に沿って回転自在な部材である。第１リング回転部２３ａ〜第５リング回転部２３ｅには、それぞれ第１指先固定リング２１ａ〜第５指先固定リング２１ｅが固定される。第１リング回転部２３ａ〜第５リング回転部２３ｅの回転に伴って第１指先固定リング２１ａ〜第５指先固定リング２１ｅも回転する。
【００２３】
第１指先固定リング２１ａ〜第５指先固定リング２１ｅは、図１及び図２等に示すように、それぞれ一部に開放部を有するリング状である。第１指先固定リング２１ａ〜第５指先固定リング２１ｅは、力を加えた場合に容易にリング径を変えられる素材が好ましく、力から解放された際にリング径は元に戻っても戻らなくてもよい。リング径が自然と元に戻らない素材の場合は、逆向きに力を加えることで容易に元のリング径に戻すことができる素材であることが好ましい。第１指先固定リング２１ａ〜第５指先固定リング２１ｅは、図５及び図６に示すように、掃除補助具１１を右手８１の各指に直接固定する部材である。第１指先固定リング２１ａ〜第５指先固定リング２１ｅの一部に開放部があること及び力を加えた場合に容易にリング径を変えられる素材であることで、どのような太さの指であっても固定することが容易となる。ただし、どのような太さの指にでも固定できるのであれば、第１指先固定リング２１ａ〜第５指先固定リング２１ｅには一部に開放部を設けなくてもよい。例えば、第１指先固定リング２１ａ〜第５指先固定リング２１ｅが弾性素材で成形されていれば、開放部の有無にかかわらず、どのような太さの指であっても固定することができる。弾性素材としては、金属製のバネやゴム等の軟質高分子が挙げられる。ゴムは天然ゴムと合成ゴムに大別されるが、人体への安全性や耐久性の観点からは合成ゴムの一種であるシリコンゴムが好適である。
【００２４】
第１指先ノズル１５ａ〜第５指先ノズル１５ｅに接続された多数のブラシ毛は、ブラシ部４１を構成する。ブラシ部４１は、１本ずつが第１指先ノズル１５ａ〜第５指先ノズル１５ｅの端部にそれぞれ埋め込まれて固定されていてもよいし、複数本の束の状態で埋め込まれていてもよく、埋め込みの密度は問わない。図１においては第１指先ノズル１５ａ〜第５指先ノズル１５ｅの端部の円周部分を一周するようにブラシ部４１がそれぞれ接続されているが、円周部分の一部のみにブラシ部４１が接続されていてもよい。ブラシ部４１は第１指先ノズル１５ａ〜第５指先ノズル１５ｅの先端部付近の内周面又は外周面に接続されていてもよい。ブラシ部４１を構成する多数のブラシ毛の露出部分の長さは、埃等を効率的に集める点では２〜１０ｍｍが好ましく、３〜８ｍｍがより好ましい。
【００２５】
図１、図２及び図３に示すように、固定ベルト２５ａは、連結胴１３の第１小孔付近の側面に一端が接続され、固定ベルト２５ｂは、連結胴１３の第５小孔３１ｅ付近の側面に一端が接続されている。固定ベルト２５ａ及び２５ｂの各他端どうしが結合可能な構造であり、掃除補助具１１を手の甲側に固定する際の固定部分のひとつとなる。固定ベルト２５ａ及び２５ｂの各他端の構造は、結合可能であればどのようなものであってもよい。又、固定ベルト２５ａの一端と他端をつなぐベルト部分の素材や構造も、特定のものに限定するものではなく、固定ベルト２５ｂにおいても同様である。
【００２６】
（使用方法）
図５及び６に示すように、第１実施形態に係る掃除補助具１１は右手８１の甲側に装着して使用する。図５及び６においては、掃除補助具１１は右手８１に直接装着しているが、軍手等の手袋をはめた右手８１に装着することも可能である。手袋の装着により、右手８１をケガ等から保護しながら掃除をすることが可能となる。又、手袋が軍手である場合は、物を移動させる際に軍手でも埃等を絡め取ることができ、掃除の効率が高まる。埃等は、第１指先ノズル１５ａ〜第５指先ノズル１５ｅのブラシ部４１が接続されている先端部より吸引され、第１指先ノズル１５ａ〜第５指先ノズル１５ｅの筒状の空洞部及び連結胴１３の空洞部を通り、掃除補助具１１が接続されたホース５３ｃ及び主吸引装置（掃除機本体）５１ｃに吸い込まれる。
【００２７】
第１実施形態に係る掃除補助具１１は、図４（ａ）のように、床に置いて車輪により移動させるタイプの主吸引装置（掃除機本体）５１ａから伸びるホース５３ａの先端部分に接続され、使用することができる。又、第１実施形態に係る掃除補助具１１は、図４（ｂ）のように、ハンディタイプの主吸引装置（掃除機本体）５１ｂから伸びるホース５３ｂの先端部分に接続され、使用することができる。
【００２８】
更に、第１実施形態に係る掃除補助具１１は、図５のように、掃除する人間の腕８０の上腕部分に、上腕固定部２７で固定した電池駆動式の主吸引装置（掃除機本体）５１ｃから伸びるホース５３ｃの先端部分に接続してもよい。腕８０及び右手８１と掃除機本体等の主吸引装置５１ｃが一体となり、かつ、電源コードも不要であるため、掃除の際に掃除機本体等の主吸引装置や電源コードが邪魔にならず、効率的に掃除が可能となる。
【００２９】
図１２（ａ）及び（ｂ）に示すように、第２指先固定リング２１ｂの固定位置は、掃除する人間の人差し指８２の第一関節より指先側でもあってもよいし、そうでなくてもよい。図示は省略するが、第２指先固定リング２１ｂの固定位置は、人差し指８２の第二関節では第２指先ノズル１５ｂの先端が固定されずに不安定になるので好ましくない。よって、第２指先固定リング２１ｂに固定する人差し指８２の位置は、人差し指８２の第二関節より指先側が好ましい。第１指先固定リング２１ａ、第３指先固定リング２１ｃ、第４指先固定リング２１ｄ及び第５指先固定リング２１ｅにおいても同様である。
【００３０】
図５及び図６に示すように、第１実施形態に係る掃除補助具１１は、右手８１の各指先よりブラシ部４１が先端側に出る程度に装着するのが好ましい。このように装着することで、図７に示すように、指を曲げた場合であってもブラシ部４１の方が各指先より先端側に位置することになるので、図７（ｂ）のように指を曲げて物を掴みながら掃除をすることが実現できるのである。指先や手の平で物を掴んで動かして整理整頓しながら、物を置いている面の隙間の埃取りを同時に可能とする。又、床のような低い位置の面でなく、例えば起立状態での人の目線程度の高さの棚であり、文房具等の小物が並べられている部分は、通常、主吸引装置（掃除機本体）を用いての掃除は困難であって現実的でないが、第１実施形態に係る掃除補助具１１を用いると容易に掃除が可能となる。
【００３１】
図８に示すように、第２リング回転部２３ｂを図８（ａ）のＡ又はＢ方向に回転させることで、第２指先固定リング２１ｂを１８０度回転させて図８（ｂ）の状態にすることができる。図１等に示す第１指先ノズル１５ａ、第３指先ノズル１５ｃ、第４指先ノズル１５ｄ及び第５指先ノズル１５ｅにおいても同様である。これにより、右手ではなく左手で使用する際にも、特別な手間無く左手用に図１等に示す掃除補助具１１の構造を変更することができる。又、手袋をはめた手であっても手袋の上から掃除補助具１１を装着することができるため、手袋を脱着する手間が省ける。
【００３２】
図１に示す第１実施形態に係る掃除補助具１１を主吸引装置（掃除機本体）に接続して使用することで、物を整理整頓しながら同時に隙間の埃除去を効率よく行うことができる。掃除機を一旦手元から離してから物を掴んで移動させるという手間が生じない。又、第１指先固定リング２１ａ〜第５指先固定リング２１ｅのリング径が可変であることにより、どのような太さの指にも合わせることが可能である。更に、第１指先固定リング２１ａ〜第５指先固定リング２１ｅを固定する第１リング回転部２３ａ〜第５リング回転部２３ｅの回転機能により、右手用の構造と左手用の構造とを手間なく交互に変更可能であり、利き手を意識して掃除補助具を選択する必要がなくなる。
【００３３】
（第１変形例）
図９（ａ）に示す通り、第１実施形態の第１変形例に係る掃除補助具１１ａは、空洞をなし、その空洞の一方の端部側に主吸引装置のホースの先端部に接続するための接続孔及び他方の端部側に複数の小孔を有した連結胴１３ａを有する。第１実施形態の第１変形例に係る掃除補助具１１ａは、連結胴１３ａの小孔に一端が接続された筒状の第１指先ノズル１５ａ〜第５指先ノズル１５ｅを更に有する。第１変形例に係る掃除補助具１１ａは、第１指先ノズル１５ａ〜第５指先ノズル１５ｅの筒状の他端に接続されたブラシ毛を有するブラシ部４１を更に備える。
【００３４】
第１変形例に係る掃除補助具１１ａについて、図９（ａ）においては、第１実施形態に係る掃除補助具１１との共通構造の図示を省略している。即ち、第１変形例に係る掃除補助具１１ａは、第１指先ノズル１５ａ〜第５指先ノズル１５ｅの筒状の外周面に設けられたリング状の溝部、第１指先ノズル１５ａ〜第５指先ノズル１５ｅの溝部に嵌め込まれ、その溝部に沿って回転自在であるリング回転部、リング回転部に固定された指先固定リング及び連結胴１３ａに接続された固定ベルトを有するが、図示を省略している。
【００３５】
第１変形例に係る掃除補助具１１ａは、第１実施形態に係る掃除補助具１１と比較して、連結胴１３ａの構造のみが異なり、他の構造や構造間の接続関係等は第１実施形態に係る掃除補助具１１と同様である。連結胴１３ａは、掃除機本体等の主吸引装置から伸びるホースの先端部に接続できるような径の穴を接続孔として有する。接続孔は図９（ａ）の斜視図においては奥側に位置する。接続孔の大きさや形状は、主吸引装置（掃除機本体）のホースの先端部の大きさや形状に合わせて任意に設定することができる。
【００３６】
連結胴１３ａには、接続孔と反対側に５つの小孔が配置されている。小孔はそれぞれ、筒状の第１指先ノズル１５ａ〜第５指先ノズル１５ｅの一端を接続するための穴である。連結胴１３ａの形状には、図１に示す第１実施形態に係る掃除補助具１１に表れているような扁平部分はなく、図９（ａ）に示すように、第１指先ノズル１５ａ〜第５指先ノズル１５ｅとの接続部である小孔の側から接続孔にかけて一様に円筒形状である。
【００３７】
第１変形例に係る掃除補助具１１ａの使用方法については、第１実施形態に係る掃除補助具１１と変わるところがない。第１変形例に係る掃除補助具１１ａは、手の各指先よりブラシ部４１が先に出る程度に装着することで、第１実施形態に係る掃除補助具１１と同様に、指先や手の平で物を掴んで動かして整理整頓しながら、隙間の埃取りを同時に可能とする。又、床のような低い位置の面でなく、例えば起立状態での人の目線程度の高さの棚であり、文房具等の小物が並べられている部分は、通常は主吸引装置（掃除機本体）を用いての掃除は困難であって現実的でないが、第１変形例に係る掃除補助具１１ａを用いると容易に掃除が可能となるのである。
【００３８】
第１変形例に係る掃除補助具１１ａは、図示は省略しているが、第１指先ノズル１５ａ〜第５指先ノズル１５ｅにはそれぞれリング回転部を有するため、第１実施形態に係る掃除補助具１１と同様に、リング回転部に固定された指先固定リングを１８０度回転させることができる。このため、右手ではなく左手で使用する際にも、特別な手間無く左手用に掃除補助具１１ａの構造を変更することができ、利き手を意識してアタッチメントを選択する必要がなくなる。又、指先固定リングのリング径が可変であることにより、どのような太さの指にも合わせることができ、手袋をはめた手であっても手袋の上から掃除補助具１１ａを装着することが可能である。手袋の装着により、手をケガ等から保護しながら掃除をすることが可能となる。又、手袋が軍手である場合は、物を移動させる際に軍手でも埃等を絡め取ることができ、掃除の効率が高まる。
【００３９】
（第２変形例）
図９（ｂ）に示す通り、第１実施形態の第２変形例に係る掃除補助具１１ｂは、空洞をなし、その空洞の一方の端部側に主吸引装置のホースの先端部に接続するための接続孔及び他方の端部側に複数の小孔を有した連結胴１３ａを有する。第２変形例に係る掃除補助具１１ｂは、連結胴１３ａの小孔に一端が接続された筒状の第１指先ノズル１５ａ〜第５指先ノズル１５ｅを更に有する。第２変形例に係る掃除補助具１１ｂは、第１指先ノズル１５ａ〜第５指先ノズル１５ｅの筒状の他端に接続されたブラシ毛を有するブラシ部４１を更に備える。
【００４０】
第２変形例に係る掃除補助具１１ｂについて、図９（ｂ）においては、第１実施形態に係る掃除補助具１１との共通構造の図示を省略している。即ち、第２変形例に係る掃除補助具１１ｂは、第１指先ノズル１５ａ〜第５指先ノズル１５ｅの筒状の外周面に設けられたリング状の溝部、第１指先ノズル１５ａ〜第５指先ノズル１５ｅの溝部に嵌め込まれ、その溝部に沿って回転自在であるリング回転部、リング回転部に固定された指先固定リング及び連結胴１３ａに接続された固定ベルトを有するが、図示を省略している。
【００４１】
第２変形例に係る掃除補助具１１ｂは、第１実施形態に係る掃除補助具１１と比較して、連結胴１３ａの構造及び第１指先ノズル１５ａ〜第５指先ノズル１５ｅの接続位置が異なり、他の構造や構造間の接続関係等は第１実施形態に係る掃除補助具１１と同様である。連結胴１３ａは、掃除機本体等の主吸引装置から伸びるホースの先端部に接続できるような径の穴を接続孔として有する。接続孔は図９（ｂ）の斜視図においては奥側に位置する。接続孔の大きさや形状は、主吸引装置（掃除機本体）のホースの先端部の大きさや形状に合わせて任意に設定することができる。
【００４２】
連結胴１３ａには、接続孔と反対側に５つの小孔が配置されている。小孔はそれぞれ、筒状である第１指先ノズル１５ａ〜第５指先ノズル１５ｅの一端を接続するための穴であり、第１変形例に係る掃除補助具１１ａが一直線上に整列された状態であるのに対し、一直線上に整列されてはいない。即ち、第２変形例に係る掃除補助具１１ｂにおいては、第３指先ノズル１５ｃに接続する小孔が第４指先ノズル１５ｄに接続する小孔より、図９（ｂ）上では上部に位置する等、各小孔は連結胴１３ａの端部の面の中央付近に寄り集められている。
【００４３】
第２変形例に係る掃除補助具１１ｂの使用方法については、第１実施形態に係る掃除補助具１１と変わるところがない。第２変形例に係る掃除補助具１１ｂは、手の各指先よりブラシ部４１が先に出る程度に装着することで、第１実施形態に係る掃除補助具１１と同様に、指先や手の平で物を掴んで動かして整理整頓しながら、隙間の埃取りを同時に可能とする。又、床のような低い位置の面でなく、例えば起立状態での人の目線程度の高さの棚であり、文房具等の小物が並べられている部分は、通常は主吸引装置（掃除機本体）を用いての掃除は困難であって現実的でないが、第２変形例に係る掃除補助具１１ｂを用いると容易に掃除が可能となるのである。
【００４４】
第２変形例に係る掃除補助具１１ｂは、図示は省略しているが、第１指先ノズル１５ａ〜第５指先ノズル１５ｅにはリング回転部を有するため、第１実施形態に係る掃除補助具１１と同様に、リング回転部に固定された指先固定リングを１８０度回転させることができる。このため、右手ではなく左手で使用する際にも、特別な手間無く左手用に掃除補助具１１ｂの構造を変更することができ、利き手を意識してアタッチメントを選択する必要がなくなる。又、指先固定リングのリング径が可変であることにより、どのような太さの指にも合わせることができ、手袋をはめた手であっても手袋の上から掃除補助具１１ｂを装着することが可能である。手袋の装着により、手をケガ等から保護しながら掃除をすることが可能となる。又、手袋が軍手である場合は、物を移動させる際に軍手でも埃等を絡め取ることができ、掃除の効率が高まる。
【００４５】
第２変形例に係る掃除補助具１１ｂについて、小孔が連結胴１３ａの端部の面の中央付近に寄り集められていることから、第１実施形態に係る掃除補助具１１の連結胴１３と比較して、連結胴１３ａがより小さな径で設計されることを可能にする。即ち、連結胴１３ａの部材をコンパクトにすることができ、掃除補助具１１ｂを使用して掃除する際にも、掃除補助具１１ｂが壁や他の物等にぶつかることが少ない状態で使用することが可能となる。
【００４６】
（第３変形例）
図１０に示す通り、第１実施形態の第３変形例に係る掃除補助具１１ｃは、空洞をなし、その空洞の一方の端部側に主吸引装置のホースの先端部に接続するための接続孔及び他方の端部側に複数の小孔を有した連結胴１３ｂを有する。第３変形例に係る掃除補助具１１ｃは、連結胴１３ｂの小孔に一端が接続された筒状の第１指先ノズル１６ａ〜第５指先ノズル１６ｅを更に有する。第３変形例に係る掃除補助具１１ｃは、第１指先ノズル１６ａ〜第５指先ノズル１６ｅの筒状の他端に接続されたブラシ毛を有するブラシ部４１を更に備える。
【００４７】
第３変形例に係る掃除補助具１１ｃは、連結胴１３ｂに接続された固定ベルトを有しているが、図９（ｂ）においては図示を省略している。第３変形例に係る掃除補助具１１ｃは、第１実施形態に係る掃除補助具１１と比較して第１指先ノズル１６ａ〜第５指先ノズル１６ｅの形状が異なり、第１実施形態に係る掃除補助具１１の第１指先ノズル１５ａ〜第５指先ノズル１５ｅが円筒形状であるのに対して、楕円形の筒状である。第１指先ノズル１６ａ〜第５指先ノズル１６ｅが楕円形の筒状であるために、第１実施形態に係る掃除補助具１１が有するような指先ノズルの筒状の外周面に設けられたリング状の溝部及び指先ノズルの溝部に嵌め込まれ、その溝部に沿って回転自在であるリング回転部は構成要素として無い。
【００４８】
第３変形例に係る掃除補助具１１ｃは指先固定リングを有しているが、図示は省略している。指先固定リングは第１指先ノズル１６ａ〜第５指先ノズル１６ｅにそれぞれ直接固定されており、手の各指先を固定する。第３変形例に係る掃除補助具１１ｃの指先固定リングは、接続する部材以外は第１実施形態に係る掃除補助具１１の指先固定リングと同様である。他の構造や構造間の接続関係等は第１実施形態に係る掃除補助具１１と同様である。
【００４９】
第３変形例に係る掃除補助具１１ｃの手への装着方法については、第１実施形態に係る掃除補助具１１と変わるところがない。第３変形例に係る掃除補助具１１ｃは、手の各指先よりブラシ部４１が先に出る程度に装着することで、第１実施形態に係る掃除補助具１１と同様に、指先や手の平で物を掴んで動かして整理整頓しながら、隙間の埃取りを同時に可能とする。又、指先固定リングのリング径が可変であることにより、どのような太さの指にも合わせることができ、手袋をはめた手であっても手袋の上から掃除補助具１１ｃを装着することが可能である。手袋の装着により、手をケガ等から保護しながら掃除をすることが可能となる。又、手袋が軍手である場合は、物を移動させる際に軍手でも埃等を絡め取ることができ、掃除の効率が高まる。
【００５０】
又、床のような低い位置の面でなく、例えば起立状態での人の目線程度の高さの棚であり、文房具等の小物が並べられている部分は、通常は主吸引装置（掃除機本体）を用いての掃除は困難であって現実的でないが、第３変形例に係る掃除補助具１１ｃを用いると容易に掃除が可能となるのである。
【００５１】
第３変形例に係る掃除補助具１１ｃについて、第１指先ノズル１６ａ〜第５指先ノズル１６ｅが楕円形の筒状であることから、第１実施形態に係る掃除補助具１１の第１指先ノズル１５ａ〜第５指先ノズル１５ｅと比較して、手に装着した際に、手の厚み方向と同一方向の第１指先ノズル１６ａ〜第５指先ノズル１６ｅの厚さをより小さくできる。よって、第１指先ノズル１６ａ〜第５指先ノズル１６ｅがよりスリムになり、掃除補助具１１ｃを使用して掃除する際に、掃除補助具１１ｃが壁や他の物等にぶつかることが少ない状態で使用することが可能となる。
【００５２】
（第４変形例）
図１１（ａ）に示す通り、第１実施形態の第４変形例に係る掃除補助具１１ｄは、空洞をなし、その空洞の一方の端部側に主吸引装置のホースの先端部に接続するための接続孔及び他方の端部側に複数の小孔を有した連結胴１３を有する。第４変形例に係る掃除補助具１１ｄは、連結胴１３の小孔に一端が接続された筒状の第２指先ノズル１５ｂ〜第５指先ノズル１５ｅを更に有する。第４変形例に係る掃除補助具１１ｄは、第２指先ノズル１５ｂ〜第５指先ノズル１５ｅの筒状の他端に接続されたブラシ毛を有するブラシ部４１を更に備える。
【００５３】
第４変形例に係る掃除補助具１１ｄについて、図１１（ａ）においては、第１実施形態に係る掃除補助具１１との共通構造は図示を省略している。即ち、第４変形例に係る掃除補助具１１ｄは、第２指先ノズル１５ｂ〜第５指先ノズル１５ｅの筒状の外周面に設けられたリング状の溝部、第２指先ノズル１５ｂ〜第５指先ノズル１５ｅの溝部に嵌め込まれ、その溝部に沿って回転自在であるリング回転部、リング回転部に固定された指先固定リング及び連結胴１３に接続された固定ベルトを有しているが、図示を省略している。第４変形例に係る掃除補助具１１ｄは、第１実施形態に係る掃除補助具１１と比較して、第１指先ノズル１５ａ及び対応する小孔の有無のみが異なり、他の構造や構造間の接続関係等は第１実施形態に係る掃除補助具１１と同様である。
【００５４】
第４変形例に係る掃除補助具１１ｄの使用方法については、第１実施形態に係る掃除補助具１１と変わるところがない。第４変形例に係る掃除補助具１１ｄは、手の各指先よりブラシ部４１が先に出る程度に装着することで、第１実施形態に係る掃除補助具１１と同様に、指先や手の平で物を掴んで動かして整理整頓しながら、隙間の埃取りを同時に可能とする。又、床のような低い位置の面でなく、例えば起立状態での人の目線程度の高さの棚であり、文房具等の小物が並べられている部分は、通常は主吸引装置（掃除機本体）を用いての掃除は困難であって現実的でないが、第４変形例に係る掃除補助具１１ｄを用いると容易に掃除が可能となるのである。
【００５５】
第４変形例に係る掃除補助具１１ｄは、図示は省略しているが、第２指先ノズル１５ｂ〜第５指先ノズル１５ｅにはリング回転部を有するため、第１実施形態に係る掃除補助具１１と同様に、リング回転部に固定された指先固定リングを１８０度回転させることができる。このため、右手ではなく左手で使用する際にも、特別な手間無く左手用に掃除補助具１１ｄの構造を変更することができ、利き手を意識してアタッチメントを選択する必要がなくなる。又、指先固定リングのリング径が可変であることにより、どのような太さの指にも合わせることができ、手袋をはめた手であっても手袋の上から掃除補助具１１ｄを装着することが可能である。手袋の装着により、手をケガ等から保護しながら掃除をすることが可能となる。又、手袋が軍手である場合は、物を移動させる際に軍手でも埃等を絡め取ることができ、掃除の効率が高まる。
【００５６】
第４変形例に係る掃除補助具１１ｄは、第１実施形態に係る掃除補助具１１における第１指先ノズル１５ａが無く、指先ノズルが４本である。親指に装着する指先ノズルが無いことで、掃除補助具１１ｄを使用して掃除する際に、掃除補助具１１ｄが壁や他の物等にぶつかることが少ない状態で使用することが可能となる。
【００５７】
（第５変形例）
図１１（ｂ）に示す通り、第１実施形態の第５変形例に係る掃除補助具１１ｅは、空洞をなし、その空洞の一方の端部側に主吸引装置のホースの先端部に接続するための接続孔及び他方の端部側に複数の小孔を有した連結胴１３を有する。第５変形例に係る掃除補助具１１ｅは、連結胴１３の小孔に一端が接続された筒状の第２指先ノズル１５ｂ〜第４指先ノズル１５ｄを更に有する。第５変形例に係る掃除補助具１１ｅは、第２指先ノズル１５ｂ〜第４指先ノズル１５ｄの筒状の他端に接続されたブラシ毛を有するブラシ部４１を更に備える。
【００５８】
第５変形例に係る掃除補助具１１ｅについて、図１１（ｂ）においては、第１実施形態に係る掃除補助具１１との共通構造は図示を省略している。即ち、第５変形例に係る掃除補助具１１ｅは、第２指先ノズル１５ｂ〜第４指先ノズル１５ｄの筒状の外周面に設けられたリング状の溝部、第２指先ノズル１５ｂ〜第４指先ノズル１５ｄの溝部に嵌め込まれ、その溝部に沿って回転自在であるリング回転部、リング回転部に固定された指先固定リング及び連結胴１３に接続された固定ベルトを有しているが、図示を省略している。第５変形例に係る掃除補助具１１ｅは、第１実施形態に係る掃除補助具１１と比較して、第１指先ノズル１５ａ、第５指先ノズル１５ｅ及び対応する２つの小孔の有無のみが異なり、他の構造や構造間の接続関係等は第１実施形態に係る掃除補助具１１と同様である。
【００５９】
第５変形例に係る掃除補助具１１ｅの使用方法については、第１実施形態に係る掃除補助具１１と変わるところがない。第５変形例に係る掃除補助具１１ｅは、手の各指先よりブラシ部４１が先に出る程度に装着することで、第１実施形態に係る掃除補助具１１と同様に、指先や手の平で物を掴んで動かして整理整頓しながら、隙間の埃取りを同時に可能とする。又、床のような低い位置の面でなく、例えば起立状態での人の目線程度の高さの棚であり、文房具等の小物が並べられている部分は、通常は主吸引装置（掃除機本体）を用いての掃除は困難であって現実的でないが、第５変形例に係る掃除補助具１１ｅを用いると容易に掃除が可能となるのである。
【００６０】
第５変形例に係る掃除補助具１１ｅは、図示は省略しているが、第２指先ノズル１５ｂ〜第４指先ノズル１５ｄにはリング回転部を有するため、第１実施形態に係る掃除補助具１１と同様に、リング回転部に固定された指先固定リングを１８０度回転させることができる。このため、右手ではなく左手で使用する際にも、特別な手間無く左手用に掃除補助具１１ｅの構造を変更することができ、利き手を意識してアタッチメントを選択する必要がなくなる。又、指先固定リングのリング径が可変であることにより、どのような太さの指にも合わせることができ、手袋をはめた手であっても手袋の上から掃除補助具１１ｅを装着することが可能である。手袋の装着により、手をケガ等から保護しながら掃除をすることが可能となる。又、手袋が軍手である場合は、物を移動させる際に軍手でも埃等を絡め取ることができ、掃除の効率が高まる。
【００６１】
第５変形例に係る掃除補助具１１ｅは、第１実施形態に係る掃除補助具１１における第１指先ノズル１５ａ及び第５指先ノズル１５ｅが無く、指先ノズルが３本である。親指及び小指に装着する指先ノズルが無いことで、掃除補助具１１ｅを使用して掃除する際に、掃除補助具１１ｅが壁や他の物等にぶつかることが少ない状態で使用することが可能となる。
【００６２】
（第２実施形態）
本発明の第２実施形態に係る掃除補助具は、図１３（ａ）及び（ｂ）にその一部の構造を示すように、掃除機本体等の主吸引装置のホースの先端部に接続するアタッチメントであって、空洞をなし、その空洞の一方の端部側に主吸引装置のホースの先端部に接続するための接続孔及び他方の端部側に複数の小孔を有した連結胴を有する。第２実施形態に係る掃除補助具は、筒状をなし、連結胴の小孔に一端が接続された筒状の第２指先ノズル１５ｂを更に有する。第２実施形態に係る掃除補助具は、第２指先ノズル１５ｂの筒状の他端に接続されたブラシ毛を有するブラシ部４１ａと、第２指先ノズル１５ｂに直接的に又は間接的に接続された第２指先固定リング２１ｂとを更に備える。第２実施形態に係る掃除補助具は、第２指先ノズル１５ｂの筒状の外周面にリング状の溝部を更に有し、第２リング回転部２３ｂがその溝部にそれぞれ嵌め込まれ、第２リング回転部２３ｂはその溝部に沿って回転自在である。第２実施形態に係る掃除補助具では、第２指先固定リング２１ｂが第２リング回転部２３ｂに直接固定されている。
【００６３】
本発明の第２実施形態に係る掃除補助具の各構造とその接続関係については、図１に示す第１実施形態に係る掃除補助具１１と比較して、各指先ノズルのブラシ部の構造とその接続関係のみが異なるため、図１３においては連結胴及び固定ベルトの図示を省略している。又、本発明の第２実施形態に係る掃除補助具においては、各指先ノズルのブラシ部の構造とその接続関係は基本的に同様のため、図示の簡略化のため、第２指先ノズル１５ｂ及び第２指先ノズル１５ｂに直接的又は間接的に接続しているブラシ部４１ａ、第２リング回転部２３ｂ及び第２指先固定リング２１ｂのみを図１３に示している。
【００６４】
本発明の第２実施形態に係る掃除補助具は、指先ノズルとして更に第１指先ノズル及び第３指先ノズル〜第５指先ノズルを有し、リング回転部として更に第１リング回転部及び第３リング回転部〜第５リング回転部を有し、指先固定リングとして更に第１指先固定リング及び第３〜第５指先固定リングを有し、第１指先ノズル及び第３指先ノズル〜第５指先ノズルの先端部にはブラシ部４１ａが、第２指先ノズル１５ｂと同様に接続されている。第２実施形態に係る掃除補助具の以降の段落では、第２指先ノズル１５ｂを例にして指先ノズルとそれに接続されたブラシ部等の構造や機能を説明していくが、特段説明がない限り、第１指先ノズル及び第３指先ノズル〜第５指先ノズルも同様の構造と機能を有しているものとする。
【００６５】
第２実施形態に係る掃除補助具は、図１３（ａ）に示す通り、第２指先ノズル１５ｂの筒状の他端に接続されたブラシ部４１ａの先端側が根元側よりも鉛直上方の時は、ブラシ部４１ａの各ブラシ毛は、図７（ａ）に示すブラシ部４１と同様の外観である。第２指先ノズル１５ｂを曲げたり、第２指先ノズル１５ｂを傾けたりして、ブラシ部４１ａの先端側が根元側よりも鉛直下方となった時は、図１３（ｂ）に示す通り、ブラシ部４１ａの各ブラシ毛は、各ブラシ毛自体の自重により、第２指先ノズル１５ｂの内部に収納されていた部分が露出する。図７（ｂ）に示すブラシ部４１よりも、図１３（ｂ）に示すブラシ部４１ａの方が見かけの長さが長い。図１３（ｂ）に示すブラシ部４１ａの先端側は、人差し指８２の指先よりも先端側に位置する。即ち、第２実施形態に係る掃除補助具の第２指先ノズル１５ｂのブラシ部４１ａは、見かけの長さが可変であるブラシ部である。
【００６６】
第２実施形態に係る掃除補助具の第２指先ノズル１５ｂのブラシ部４１ａの先端側を根元側よりも鉛直下方とし、床９０の表面に近づけた場合が図１４（ａ）に示す通りである。ブラシ部４１ａの先端側が床９０の表面に接して押圧が加えられると、押圧された部分のブラシ部４１ａのブラシ毛は第２指先ノズル１５ｂの内部に押し戻される。図１４（ａ）においては、ブラシ部４１ａのほぼすべてのブラシ毛の先端側は床９０の表面に接していることとなり、ブラシ部４１ａにより床９０の表面の一部が略円形に囲まれたようになる。見かけの長さが可変でないブラシ部を有する指先ノズルである場合、図１４（ａ）と同様の指先ノズルの角度で床９０に近づけると、ブラシ毛の先端側と床９０の間に一部隙間が空いてしまったり、押圧によりブラシ毛が一部曲がり、ブラシ毛の間に隙間が空いてしまったりする。
【００６７】
見かけの長さが可変であるブラシ部４１ａの場合は、見かけの長さが可変でないブラシ部を用いた場合に生じる隙間がほとんど生じないため、主吸引装置（掃除機本体）の吸引力を床９０の表面の埃の吸引に効率的に利用できるという利点がある。図１４（ｂ）に示すように、床９０の表面に対して第２指先ノズル１５ｂの筒状を鉛直方向にし、ブラシ部４１ａの先端側を万遍なく押圧した場合であっても、ブラシ毛は図１３（ａ）のブラシ部４１ａの見かけの長さまでは第２指先ノズル１５ｂの内部に押し戻される。そのため、ほぼすべてのブラシ毛の先端側は床９０の表面に接することとなる。図１４（ａ）の場合と同様に、主吸引装置（掃除機本体）の吸引力を床９０の表面の埃の吸引に効率的に利用できるのである。図１４においては床９０を例に説明したが、第２実施形態に係る掃除補助具を用いる対象には、床９０の代わりに、机やテーブル、棚等、どのような物でも含まれる。
【００６８】
第２実施形態に係る掃除補助具の第２指先ノズル１５ｂのブラシ部４１ａは、図１５（ａ）に示すように、第２指先ノズル１５ｂの先端部に接続されている。図１５（ｂ）に示すように、ブラシ部４１ａを構成するブラシ毛４１ａ１及びブラシ毛４１ａ２はそれぞれ第２ストッパー４３ａ１及び４３ａ２を有し、第２ストッパー４３ａ１及び４３ａ２は第２指先ノズル１５ｂの先端部に接している。図１６（ａ）に示すように、ブラシ毛４１ａ１は第２ストッパー４３ａ１の他に、ブラシ毛４１ａ１の根元側に第１ストッパー４３ｂ１を有する。
【００６９】
図１６（ａ）に示すように、第１ストッパー４３ｂ１はブラシ毛４１ａ１の根元側に設けられ、かつ、第２指先ノズル１５ｂの外周面と内周面との間の中空部に収納されている。この中空部は、１本のブラシ毛４１ａ１の根元側のみを収納可能なサイズであってもよいし、複数のブラシ毛の根元側を収納可能なサイズであってもよい。図１６（ａ）では、第１ストッパー４３ｂ１はブラシ毛４１ａ１の根元側の末端に設けられているが、末端でなくてもよい。第２ストッパー４３ａ１は第１ストッパー４３ｂ１よりもブラシ毛４１ａ１の先端側に設けられ、かつ、第１ストッパー４３ｂ１が収納されている第２指先ノズル１５ｂの中空部の外側に配置されている。ブラシ毛４１ａ１は、第１ストッパー４３ｂ１と第２ストッパー４３ａ１の間で、第２指先ノズル１５ｂの中空部と連続して設けられた細孔を貫通しているが、第２指先ノズル１５ｂに固定はされていない。ブラシ毛４１ａ２をはじめとした他の多数のブラシ毛についても同様である。ブラシ毛４１ａ２の第１ストッパー４３ｂ１と第２ストッパー４３ａ１との間の長さは、他のブラシ毛の第１ストッパーと第２ストッパーとの間の長さと同一でもよいし、異なってもよい。
【００７０】
ブラシ部４１ａの各ブラシ毛の見かけの長さの最大値については、複数のブラシ毛間で同一でもよいし、異なってもよい。異なる場合は、ブラシ部４１ａの各ブラシ毛の見かけの長さの最大値については、第２指先ノズル１５ｂを人差し指に装着した際の指先からの距離が遠くなるにつれて次第に長くなったり、反対に短くなったりするように設定してもよい。
【００７１】
図１６（ａ）における上向き矢印の方向、即ちブラシ毛４１ａ１の先端側方向にブラシ毛４１ａ１を引き出すように力を加えると、図１６（ｂ）のように、第１ストッパー４３ｂ１が細孔に到達するまでブラシ毛４１ａ１は引き出され、ブラシ毛４１ａ１の露出部が増える。第１ストッパー４３ｂ１と第２ストッパー４３ａ１の間の部分が更に露出し、ブラシ毛４１ａ１の見かけの長さが長くなる。図１６（ｂ）の状態から、加えていた力を解放すると、ブラシ毛４１ａ１自体の自重により、第２ストッパー４３ａ１が細孔に到達するまでブラシ毛４１ａ１は第２指先ノズル１５ｂの中空部に収納され、図１６（ａ）の状態に戻る。第１ストッパー４３ｂ１及び第２ストッパー４３ａ１のサイズは第２指先ノズル１５ｂの細孔より小さいため、通り抜けることはできない。ブラシ毛４１ａ２をはじめとした他の多数のブラシ毛についても同様である。
【００７２】
図１６に示す第１ストッパー４３ｂ１及び第２ストッパー４３ａ１は、ブラシ毛４１ａ１と一体となった構造でもよいし、別の部材であってもよい。第１ストッパー４３ｂ１とブラシ毛４１ａ１が一体構造であり、第２指先ノズル１５ｂの細孔を通した後に別の部材である第２ストッパー４３ａ１をブラシ毛４１ａ１に取り付けてもよい。第１ストッパー４３ｂ１及び第２ストッパー４３ａ１の形状及び大きさは、第２指先ノズル１５ｂの細孔を通らない形状及び大きさであればいずれでもよい。ブラシ毛４１ａ２をはじめとした他の多数のブラシ毛についても同様である。
【００７３】
図１６（ａ）及び（ｂ）はブラシ毛４１ａ１の先端側が鉛直上方の場合であるが、ブラシ毛４１ａ１の先端側が鉛直下方の場合は、ブラシ毛４１ａ１自体の自重により、第１ストッパー４３ｂ１が細孔に到達するまでブラシ毛４１ａ１は引き出されることになる。この状態でブラシ毛４１ａ１の先端側が押圧されると、第２ストッパー４３ａ１が細孔に到達するまでブラシ毛４１ａ１は第２指先ノズル１５ｂの中空部に収納されることになる。ブラシ毛４１ａ２をはじめとした他の多数のブラシ毛についても同様である。
【００７４】
（使用方法）
第２実施形態に係る掃除補助具は、図５及び６に示す第１実施形態に係る掃除補助具１１と同様、掃除をする人間の手の甲側に装着して使用する。第１実施形態に係る掃除補助具１１と同様に、第２実施形態に係る掃除補助具は軍手等の手袋をはめた手に装着することも可能である。埃等は、第１指先ノズル、第２指先ノズル１５ｂ及び第３指先ノズル〜第５指先ノズルのブラシ部４１ａが接続されている端部より吸引され、第１指先ノズル、第２指先ノズル１５ｂ及び第３指先ノズル〜第５指先ノズルの筒状の空洞部及び連結胴の空洞部を通り、第２実施形態に係る掃除補助具が接続された主吸引装置（掃除機本体）のホースに吸い込まれる。
【００７５】
第２実施形態に係る掃除補助具は、図４（ａ）に示す第１実施形態に係る掃除補助具１１と同様、床に置いて車輪により移動させられるタイプの掃除機本体等の主吸引装置から伸びるホースの先端部分に接続され、使用することができる。又、第２実施形態に係る掃除補助具は、図４（ｂ）に示す第１実施形態に係る掃除補助具１１と同様、ハンディタイプの掃除機本体等の主吸引装置から伸びるホースの先端部分に接続され、使用することができる。
【００７６】
更に、第２実施形態に係る掃除補助具は、図５に示す第１実施形態に係る掃除補助具１１と同様、上腕固定部により腕の上腕部分に固定した電池駆動式の掃除機本体等の主吸引装置から伸びるホースの先端部分に接続してもよい。腕及び手と掃除機が一体となり、かつ、電源コードも不要であるため、掃除の際に掃除機が邪魔にならず、効率的に掃除が可能となる。
【００７７】
第２実施形態に係る掃除補助具の使用方法については、図１に示す第１実施形態に係る掃除補助具１１と変わるところがない。第２実施形態に係る掃除補助具を掃除機に接続し、手に装着すれば、指先や手の平で物を掴んで動かして整理整頓しながら、隙間の埃取りを同時に可能とする。又、床のような低い位置の面でなく、例えば起立状態での人の目線程度の高さの棚であり、文房具等の小物が並べられている部分は、通常は掃除機を用いての掃除は困難であって現実的でないが、第２実施形態に係る掃除補助具を用いると容易に掃除が可能となるのである。
【００７８】
第２実施形態に係る掃除補助具は、第２指先ノズル１５ｂには第２リング回転部２３ｂを有するため、図１に示す第１実施形態に係る掃除補助具１１と同様に、第２指先固定リング２１ｂを１８０度回転させることができる。第１指先ノズル及び第３指先ノズル〜第５指先ノズルにおいても同様である。このため、右手ではなく左手で使用する際にも、特別な手間無く左手用に第２実施形態に係る掃除補助具の構造を変更することができ、利き手を意識してアタッチメントを選択する必要がなくなる。又、指先固定リングのリング径が可変であることにより、どのような太さの指にも合わせることができ、手袋をはめた手であっても手袋の上から第２実施形態に係る掃除補助具を装着することが可能である。手袋の装着により、手をケガ等から保護しながら掃除をすることが可能となる。又、手袋が軍手である場合は、物を移動させる際に軍手でも埃等を絡め取ることができ、掃除の効率が高まる。
【００７９】
第２実施形態に係る掃除補助具では、掃除する面に対して指先を垂直にしても斜めにしても、常にほぼすべてのブラシ毛先端が掃除する面に接していることにより、埃の吸引効率が上がり、掃除効率が上がる。指先の角度を気にせず整理整頓と埃等の除去の掃除が同時にできる。
【００８０】
第２実施形態に係る掃除補助具では、掃除の際の押圧によりブラシ部４１ａが曲げられることが少ないので、ブラシ部４１ａの劣化防止効果がある。
【００８１】
（第３実施形態）
本発明の第３実施形態に係る掃除補助具は、図１７（ａ）及び（ｂ）にその一部の構造を示すように、掃除機本体等の主吸引装置のホースの先端部に接続するアタッチメントであって、空洞をなし、その空洞の一方の端部側に主吸引装置のホースの先端部に接続するための接続孔及び他方の端部側に複数の小孔を有した連結胴を有する。第３実施形態に係る掃除補助具は、連結胴の小孔に一端が接続された筒状の第２指先ノズル（１７ｂ、１８ｂ）を更に有する。
【００８２】
第３実施形態に係る掃除補助具は、第２指先ノズル（１７ｂ、１８ｂ）の筒状の他端に接続されたブラシ毛を有するブラシ部４１と、第２指先ノズル（１７ｂ、１８ｂ）に直接的に又は間接的に接続された第２指先固定リング２１ｂとを更に備える。第３実施形態に係る掃除補助具は、第２指先ノズル（１７ｂ、１８ｂ）の筒状の外周面にリング状の溝部を更に有し、第２リング回転部２３ｂがその溝部にそれぞれ嵌め込まれ、その溝部に沿って回転自在である。第３実施形態に係る掃除補助具では、第２指先固定リング２１ｂが第２リング回転部２３ｂに直接固定されている。
【００８３】
本発明の第３実施形態に係る掃除補助具の各構造とその接続関係については、図１に示す第１実施形態に係る掃除補助具１１と比較して、指先ノズルの構成のみが異なるため、図１７においては連結胴及び固定ベルトの図示を省略している。又、本発明の第３実施形態に係る掃除補助具においては、各指先ノズルの構成は基本的に同様のため、図示の簡略化のために第２指先ノズル（１７ｂ、１８ｂ）及び第２指先ノズル（１７ｂ、１８ｂ）に直接的又は間接的に接続しているブラシ部４１、第２リング回転部２３ｂ及び第２指先固定リング２１ｂのみを図１７に示している。
【００８４】
本発明の第３実施形態に係る掃除補助具は、指先ノズルとして更に第１指先ノズル及び第３指先ノズル〜第５指先ノズルを有し、リング回転部として更に第１リング回転部及び第３リング回転部〜第５リング回転部を有し、指先固定リングとして更に第１指先固定リング及び第３〜第５指先固定リングを有し、第１指先ノズル及び第３指先ノズル〜第５指先ノズルの先端部にはブラシ部４１が、第２指先ノズル１５ｂと同様に接続されている。第３実施形態に係る掃除補助具の以降の段落では、第２指先ノズル（１７ｂ、１８ｂ）を例にして指先ノズルの構成及び機能を説明していくが、特段説明がない限り、第１指先ノズル及び第３指先ノズル〜第５指先ノズルも同様の構造及び機能を有しているものとする。
【００８５】
図１７（ａ）に示す第２指先ノズル（１７ｂ、１８ｂ）は、指先ノズル本体１７ｂと、先端可変部１８ｂから構成される。連結胴から遠い方の指先ノズル本体１７ｂの末端に先端可変部１８ｂが接続されている。先端可変部１８ｂは押圧により形状が変化し、押圧から解放されると形状が元に戻る構造である。よって、先端可変部１８ｂは蛇腹構造が好ましいが、それ以外の構造であってもよい。先端可変部１８ｂの末端には図１７（ａ）に示すようにブラシ部４１が接続されている。図１７（ｂ）のように、第２指先ノズル（１７ｂ、１８ｂ）を人差し指８２に装着した状態で人差し指８２を曲げて、ブラシ部４１の先端側が鉛直下方となった場合であっても、先端可変部１８ｂの構造は自重によっては変わらないものが好ましいがいずれでもよい。
【００８６】
第３実施形態に係る掃除補助具の第２指先ノズル（１７ｂ、１８ｂ）のブラシ部４１の先端側を根元側よりも鉛直下方とし、床９０の表面に近づけた場合、即ち図１８（ａ）の状態で下向き矢印Ａの方向に力を加えると、ブラシ部４１は床９０の表面に接することになる。そして図１８（ｂ）に示すように、ブラシ部４１の先端側が床９０の表面に接して押圧が加えられると、押圧された部分のブラシ部４１が接続されている先端可変部１８ｂが収縮し、ブラシ部４１のほぼすべてのブラシ毛の先端側が床９０の表面に接することとなる。図１４に示す第２実施形態に係る掃除補助具の場合と同様に、図１８（ｂ）においてはブラシ部４１により床９０の表面の一部が略円形に囲まれたようになる。
【００８７】
先端可変部のない指先ノズルである場合、図１８（ａ）と同様の指先ノズルの角度で床９０に近づけると、ブラシ部のブラシ毛の先端側と床９０の間に一部隙間が空いてしまったり、押圧によりブラシ毛が一部曲がり、ブラシ毛の間に隙間が空いてしまったりする。先端可変部１８ｂのあるブラシ部４１の場合は、先端可変部のないブラシ部を用いた場合に生じる隙間がほとんど生じないため、主吸引装置（掃除機本体）の吸引力を床９０の表面の埃の吸引に効率的に利用できるという利点がある。図１８（ｂ）でかけられている押圧から解放すると、先端可変部１８ｂは元の形状に戻る。図１８においては床９０を例に説明したが、第３実施形態に係る掃除補助具を用いる対象には、床９０の代わりに、机やテーブル、棚等、どのような物でも含まれる。
【００８８】
（使用方法）
第３実施形態に係る掃除補助具は、図５及び６に示す第１実施形態に係る掃除補助具１１と同様、手の甲側に装着して使用する。第１実施形態に係る掃除補助具１１と同様に、第３実施形態に係る掃除補助具は軍手等の手袋をはめた手に装着することも可能である。埃等は、第１指先ノズル、第２指先ノズル（１７ｂ、１８ｂ）及び第３指先ノズル〜第５指先ノズルのブラシ部４１が接続されている端部より吸引され、第１指先ノズル、第２指先ノズル（１７ｂ、１８ｂ）及び第３指先ノズル〜第５指先ノズルの筒状の空洞部及び連結胴の空洞部を通り、第３実施形態に係る掃除補助具が接続された主吸引装置（掃除機本体）のホースに吸い込まれる。
【００８９】
第３実施形態に係る掃除補助具は、図４（ａ）に示す第１実施形態に係る掃除補助具１１と同様、床に置いて車輪により移動させられるタイプの掃除機本体等の主吸引装置から伸びるホースの先端部分に接続され、使用することができる。又、第３実施形態に係る掃除補助具は、図４（ｂ）に示す第１実施形態に係る掃除補助具１１と同様、ハンディタイプの掃除機本体等の主吸引装置から伸びるホースの先端部分に接続され、使用することができる。更に、第３実施形態に係る掃除補助具は、図５に示す第１実施形態に係る掃除補助具１１と同様、固定部により腕の上腕部分に固定した電池駆動式の掃除機本体等の主吸引装置から伸びるホースの先端部分に接続してもよい。腕及び手と掃除機が一体となり、かつ、電源コードも不要であるため、掃除の際に掃除機が邪魔にならず、効率的に掃除が可能となる。
【００９０】
第３実施形態に係る掃除補助具の使用方法については、図１に示す第１実施形態に係る掃除補助具１１と変わるところがない。第３実施形態に係る掃除補助具を掃除機に接続し、手に装着すれば、指先や手の平で物を掴んで動かして整理整頓しながら、隙間の埃取りを同時に可能とする。又、床のような低い位置の面でなく、例えば起立状態での人の目線程度の高さの棚であり、文房具等の小物が並べられている部分は、通常は掃除機を用いての掃除は困難であって現実的でないが、第３実施形態に係る掃除補助具を用いると容易に掃除が可能となるのである。
【００９１】
第３実施形態に係る掃除補助具は、第２指先ノズル（１７ｂ、１８ｂ）には第２リング回転部２３ｂを有するため、図１に示す第１実施形態に係る掃除補助具１１と同様に、第２指先固定リング２１ｂを１８０度回転させることができる。このため、右手ではなく左手で使用する際にも、特別な手間無く左手用に第３実施形態に係る掃除補助具の構造を変更することができ、利き手を意識してアタッチメントを選択する必要がなくなる。又、指先固定リングのリング径が可変であることにより、どのような太さの指にも合わせることができ、手袋をはめた手であっても手袋の上から第３実施形態に係る掃除補助具を装着することが可能である。手袋の装着により、手をケガ等から保護しながら掃除をすることが可能となる。又、手袋が軍手である場合は、物を移動させる際に軍手でも埃等を絡め取ることができ、掃除の効率が高まる。
【００９２】
第３実施形態に係る掃除補助具では、掃除する面に対して指先を垂直にしても斜めにしても、常にほぼすべてのブラシ毛先端が掃除する面に接していることにより、埃の吸引効率が上がり、掃除効率が上がる。指先の角度を気にせず整理整頓と掃除が同時にできる。
【００９３】
第３実施形態に係る掃除補助具では、掃除の際の押圧によりブラシ部４１が曲げられることが少ないので、ブラシ部４１の劣化防止効果がある。
【００９４】
（その他の実施形態）
上記のように、本発明は上記の複数の実施形態及びその変形例によって記載したが、この開示の一部をなす論述及び図面は本発明を限定するものであると理解すべきではない。この開示から当業者には様々な代替実施の形態、実施例及び運用技術が明らかとなろう。
【００９５】
このように、本発明はここでは記載していない様々な実施の形態等を含むことは勿論である。したがって、本発明の技術的範囲は上記の説明から妥当と解釈しうる、特許請求の範囲に係る発明特定事項によってのみ定められるものである。
【符号の説明】
【００９６】
１１，１１ａ、１１ｂ、１１ｃ、１１ｄ、１１ｅ…掃除補助具
１３、１３ａ、１３ｂ…連結胴
１５ａ、１５ｂ、１５ｃ、１５ｄ、１５ｅ、１６ａ、１６ｂ、１６ｃ、１６ｄ、１６ｅ…指先ノズル
１７ｂ…指先ノズル本体
１８ｂ…先端可変部
２１ａ、２１ｂ、２１ｃ、２１ｄ、２１ｅ…指先固定リング
２３ａ、２３ｂ、２３ｃ、２３ｄ、２３ｅ…リング回転部
２５ａ、２５ｂ…固定ベルト
２７…固定部
３１ｂ、３１ｃ、３１ｄ、３１ｅ…小孔
４１，４１ａ…ブラシ部
４１ａ１、４１ａ２…ブラシ毛
４３ａ１、４３ａ２、４３ｂ１…ストッパー
５１ａ、５１ｂ、５１ｃ…主吸引装置（掃除機本体）
５３ａ、５３ｂ、５３ｃ…ホース
８０…腕
８１…右手
８２…人差し指
９０…床 
【図１】
2020163046.tif 000003
【図２】
2020163046.tif 000004
【図３】
2020163046.tif 000005
【図４】
2020163046.tif 000006
【図５】
2020163046.tif 000007
【図６】
2020163046.tif 000008
【図７】
2020163046.tif 000009
【図８】
2020163046.tif 000010
【図９】
2020163046.tif 000011
【図１０】
2020163046.tif 000012
【図１１】
2020163046.tif 000013
【図１２】
2020163046.tif 000014
【図１３】
2020163046.tif 000015
【図１４】
2020163046.tif 000016
【図１５】
2020163046.tif 000017
【図１６】
2020163046.tif 000018
【図１７】
2020163046.tif 000019
【図１８】
2020163046.tif 000020